(57)【要約】      （修正有）【課題】安全性、装飾性を高め、消費電力を節約できる装飾灯を提供する。【解決手段】液体容器を備えるＬＥＤ式装飾灯であって、透明の液体容器２０と、ベース体１０とからなり、透明の液体容器２０内部には各種液体装飾物３０を収容して展示でき、ベース台１０外縁には外部に向かって電気プラグ１１が設けられ、電気コンセントに挿入して使用でき、内部には回路板および数個の異なる色のＬＥＤ灯１２が設けられ、数個のＬＥＤ灯１２からの光が透明の液体容器２０底部に向かって照射され、使用時、数個のＬＥＤ灯１２からの光が透明の液体容器２０およびその内部に収容される液体装飾物３０を照射して装飾灯１に多彩な変化性を持たせることができ、安全性、装飾性を高め、消費電力を節約できる。【選択図】図１
0003113452.tif 000002
【実用新案登録請求の範囲】
【請求項１】
底部のベース台と、上部の透明の液体容器とからなる液体容器を備えるＬＥＤ式装飾灯であって、
前記ベース台は、ハウジング、電気プラグ、数個のＬＥＤ灯、回路板および前記液体容器に対応する連結構造を備え、前記数個のＬＥＤ灯は回路板によってその発光形態が制御され、ＬＥＤ灯からの光が上向きに液体容器内に照射され、
前記液体容器は、透明の密封容器であり、その内部には各種の液体装飾物が収容され、容器底面には前記ベース台に対応する連結構造が設けられ、
上述の構造により、ベース台と液体容器とが組立てられて装飾灯が構成されており、使用時、電気プラグをコンセントに挿入し、ＬＥＤ灯からの光が液体容器に照射され、外部を照らすことを特徴とする液体容器を備えるＬＥＤ式装飾灯。
【請求項２】
前記ベース台上には、スイッチまたは感応スイッチが設けられ、数個のＬＥＤ灯の発光が制御されることを特徴とする請求項１記載の透明容器を備えるＬＥＤ式装飾灯。
【請求項３】
前記数個のＬＥＤ灯は、それぞれ色が異なり、例えば赤色、青色および緑色のＬＥＤ灯であることを特徴とする請求項１記載の透明容器を備えるＬＥＤ式装飾灯。
【請求項４】
前記液体装飾物は、単一の液体装飾物であり、透明の液体と、液体中に設置される各種の装飾物とからなることを特徴とする請求項１記載の液体容器を備えるＬＥＤ式装飾灯。
【請求項５】
前記液体装飾物は、二種類の液体を有する液体装飾物であり、染色された下層の液体と、透明の上層の液体と、上下層界面上に浮遊する浮遊物とからなることを特徴とする請求項１記載の液体容器を備えるＬＥＤ式装飾灯。
【請求項６】
前記液体容器内部には、隔板が設けられ、液体容器内部が二つの区域に分割され、それぞれに異なる液体装飾物が収容されていることを特徴とする請求項１記載の液体容器を備えるＬＥＤ式装飾灯。
【考案の詳細な説明】
【技術分野】
【０００１】
本考案は液体容器を備えるＬＥＤ式装飾灯に関し、特に数個のＬＥＤ灯を光源とし、ＬＥＤ灯からの光が装飾用の透明容器に照射され、安全性、装飾性を高め、消費電力を節約できる液体容器を備えるＬＥＤ式装飾灯に関する。
【背景技術】
【０００２】
一般の装飾灯または同様の形態の足元灯は、通常廊下や通路の壁上または部屋内に使用され、通常、スイッチまたは感応スイッチによって制御され、夜や暗いときに発光して照明と装飾の作用を兼ね備える。しかし、従来技術による装飾灯は発熱する電球を光源としており、全体の構造が硬体からなるので、消費電力が多いだけでなく、長時間使用すると温度が上昇するので安全性の問題もあり、しかも単一の電球を使用するので、色彩変化に乏しく、外観的に新しさや面白みに欠けており、それらが欠点となっている。
【特許文献１】特開２００３−３６７０６号公報
【考案の開示】
【考案が解決しようとする課題】
【０００３】
本考案の主な目的は、透明の液体容器と、ベース体とからなり、透明の液体容器内部に各種液体装飾物を収容して展示でき、ベース台外縁には外部に向かって電気プラグが設けられ、電気コンセントに挿入して使用でき、内部には回路板および数個の異なる色のＬＥＤ灯が設けられ、数個のＬＥＤ灯からの光が透明の液体容器底部に向かって照射され、使用時、数個のＬＥＤ灯からの光が透明の液体容器およびその内部に収容される液体装飾物を照射して、装飾灯に多彩な変化性を持たせることができ、安全性、装飾性を高め、消費電力を節約できる液体容器を備えるＬＥＤ式装飾灯を提供することにある。
本考案の次の目的は、透明の液体容器とベース台との間にお互いに対応した連結構造が設けられ、それぞれの連結構造は別々に製作することができ、透明の液体容器内には各種液体装飾物が収容され、ベース台上には電気プラグ、回路板および数個のＬＥＤ灯などが設置され、その後、両者間の連結構造によって一体に組立てられるので、透明の液体容器およびその内部の液体装飾物に様々な選択性を与えることができ、同一のベース台を使用することによって、外観上の選択性を高め、生産コストを下げることができる透明容器を備えるＬＥＤ式装飾灯を提供することにある。
【課題を解決するための手段】
【０００４】
上記課題を解決するために、請求項１の考案は、底部のベース台と、上部の透明の液体容器とからなる液体容器を備えるＬＥＤ式装飾灯であって、ベース台は、ハウジング、電気プラグ、数個のＬＥＤ灯、回路板および前記液体容器に対応する連結構造を備え、数個のＬＥＤ灯は回路板によってその発光形態が制御され、ＬＥＤ灯からの光が上向きに液体容器内に照射され、液体容器は、透明の密封容器であり、その内部には各種の液体装飾物が収容され、容器底面には前記ベース台に対応する連結構造が設けられ、上述の構造により、ベース台と液体容器とが組立てられて装飾灯が構成されており、使用時、電気プラグをコンセントに挿入し、ＬＥＤ灯からの光が液体容器に照射され、外部を照らすことを特徴とする液体容器を備えるＬＥＤ式装飾灯である。
【０００５】
請求項２の考案は、ベース台上には、スイッチまたは感応スイッチが設けられ、数個のＬＥＤ灯の発光が制御されることを特徴とする請求項１記載の透明容器を備えるＬＥＤ式装飾灯である。
【０００６】
請求項３の考案は、数個のＬＥＤ灯は、それぞれ色が異なり、例えば赤色、青色および緑色のＬＥＤ灯であることを特徴とする請求項１記載の透明容器を備えるＬＥＤ式装飾灯である。
【０００７】
請求項４の考案は、液体装飾物は、単一の液体装飾物であり、透明の液体と、液体中に設置される各種の装飾物とからなることを特徴とする請求項１記載の液体容器を備えるＬＥＤ式装飾灯である。
【０００８】
請求項５の考案は、液体装飾物は、二種類の液体を有する液体装飾物であり、染色された下層の液体と、透明の上層の液体と、上下層界面上に浮遊する浮遊物とからなることを特徴とする請求項１記載の液体容器を備えるＬＥＤ式装飾灯である。
【０００９】
請求項６の考案は、液体容器内部には、隔板が設けられ、液体容器内部が二つの区域に分割され、それぞれに異なる液体装飾物が収容されていることを特徴とする請求項１記載の液体容器を備えるＬＥＤ式装飾灯である。
【考案の効果】
【００１０】
一般のスイッチまたは感応スイッチによって数個のＬＥＤ灯の発光が制御され、ＬＥＤ灯からの光が液体容器内に照射され、液体容器およびその内部の液体装飾物または二種類の液体を有する液体装飾物にきらきらと多彩な変化に富んだ装飾効果を与え、装飾灯の安全性、装飾性を高め、消費電力を節約できる。
【考案を実施するための最良の形態】
【００１１】
図１、２に示すように、本考案の第１実施例による装飾灯１（または足元灯）は底部のベース体１０と、上部の透明の液体容器２０とからなり、ベース体１０はハウジング、電気コンセント５０に挿入して使用される電気プラグ１１、数個のＬＥＤ灯１２および回路板１４（図７を参照）を備え、数個のＬＥＤ灯１２は赤色、青色および緑色などの異なる色にすることができ、回路板１４によって数個のＬＥＤ灯１２の発光形態が制御され、例えば、赤色、青色および緑色の三色の異なる色のＬＥＤ灯１２を順番に光らせたり、同時に光らせたりしたり、例えば、一つのＬＥＤの輝度を次第に減少させ、他のＬＥＤの輝度を次第に増加させて多種の変化に富んだ色彩を表現させたりでき、透明の液体容器２０に照射することによって、装飾灯１の変化性を高めることができる。
【００１２】
透明の液体容器２０は透明のプラスチックを射出成形し、超音波溶接によって密封にしたケース状の容器であり、その形状は多種多様に変化させることができ、内部には各種の液体装飾物を収容でき、きらきらした多彩な装飾物を展示することができ、図１、２に示す液体装飾物３０は透明液体３１を充填したものであり、さらに、透明液体３１内に人造花、貝殻または人造氷などの各種の多彩な装飾物３２を浮遊あるいは配置している。
【００１３】
ベース台１０および透明の液体容器２０は、その間に設けられたお互いに対応する連結構造１３、２１によって一体に組立てることができ、図１、２に示すように、ベース台１０の連結構造１３は、ベース台１０の上面の左右両端に設けられてさらに開口部が上向きの凹溝（１３）構造とすることができ、液体容器２０の連結構造２１は、液体容器２０の底面左右両端に設けられる対応した凸体（２１）とすることができ、凸体（２１）を凹溝（１３）内に嵌入固定してベース台１０と透明容器２０とを一体にしており、ベース台１０と液体容器２０は別々に製作でき、その後一体に組立てられ、容易に外れない構造となっている。
【００１４】
図３に示すように、使用時は装飾灯１の電気プラグ１１を電気コンセント５０に挿入し、一般のスイッチまたは感応スイッチ（照度センサー、人感センサー等（図示せず））によって数個のＬＥＤ灯１２の発光が制御され、ＬＥＤ灯１２からの光が液体容器２０内に照射され、液体容器２０およびその内部の液体装飾物３０または二種類の液体を有する液体装飾物４０にきらきらと多彩な変化に富んだ装飾効果を与え、安全性、装飾性を高め、消費電力を節約できる装飾灯１とすることができる。
【００１５】
図４は、本考案の第２実施例による装飾灯２であり、装飾灯１と構造上の特徴は同じであるが、液体容器２０の形状が異なり、液体容器２０は隔板２２によって上区域２３、下区域２４の二区域に分割され、それぞれに異なる液体装飾物が収容されている。上区域２３中には二種類の液体を有する液体装飾物４０が設けられ、下層には染色された液体４１（例えば青色の水）、上層には透明の液体４２（例えば透明の油）、上層の液体４２と下層の液体４１との間の浮遊物４３が設けられている。下区域２４には液体装飾物３０が収容され、透明の液体３１および各種の多彩な装飾物３２が収容されている。
【００１６】
図５は本考案の第３実施例による装飾灯３であり、装飾灯１と構造上の特徴は同じであるが、液体容器２０とベース台１０の形状が異なり、液体容器２０が家の形であり、その内部に液体装飾物３０が収容されており、透明液体３１と各種の多彩な装飾物３２とが収容されている。
【００１７】
図６、７は本考案の第４実施例による装飾灯４であり、装飾灯１と構造上の特徴は同じであるが、液体容器２０とベース台１０の形状および両者間の連結構造１３、２１が異なり、ベース台１０を前ベース台１０ａと後ベース台１０ｂとに分割でき、ベース台１０の連結構造１３を前ベース体１０ａ上面の左右両端に中央に傾斜して設けられる対称のストッパー片（１３）とすることができ、液体容器２０の連結構造２１を液体容器２０底面の左右両端に対称に設けられる係合片（２１）とすることができ、二つの係合片（２１）を対応する二つのストッパー片（１３）内側に係合でき、液体容器２０を前ベース台１０ａから外れないように固定し、さらに、固定ねじ１５を後ベース台１０ｂの電気プラグ１１間の貫通孔１６に挿入後、前ベース台１０ａのねじ座１７のねじ山と螺合し、後ベース台１０ｂを液体容器２０の係合片（２１）に固定し、液体容器２０、前ベース台１０ａおよび後ベース台１０ｂを一体に固定する。
【００１８】
上記の各実施例では、数個のＬＥＤ灯の発光が制御され、ＬＥＤ灯からの光が液体容器内に照射され、液体容器およびその内部の液体装飾物または二種類の液体を有する液体装飾物にきらきらと多彩な変化に富んだ装飾効果を与え、装飾灯の安全性、装飾性を高め、消費電力を節約できる。
なお、本考案の特徴を損なうものでなければ、上記の実施例に限定されるものではないことは勿論である。
【図面の簡単な説明】
【００１９】
【図１】本考案の第１実施例による液体容器を備えるＬＥＤ式装飾灯を示す斜視図である。
【図２】図１の分解図である。
【図３】図１の使用状態を示す斜視図である。
【図４】本考案の第２実施例による液体容器を備えるＬＥＤ式装飾灯を示す斜視図である。
【図５】本考案の第３実施例による液体容器を備えるＬＥＤ式装飾灯を示す斜視図である。
【図６】本考案の第４実施例による液体容器を備えるＬＥＤ式装飾灯を示す斜視図である。
【図７】図６の分解図である。
【符号の説明】
【００２０】
１、２、３、４    装飾灯
１０    ベース台
１０ａ  前ベース台
１０ｂ  後ベース台
１１    電気プラグ
１２    ＬＥＤ灯
１３    連結構造（（１３）凹溝、（１３）ストッパー片）
１４    回路板
１５    固定ねじ
１６    貫通孔
１７    ねじ座
２０    液体容器
２１    連結構造（（２１）凸体、（２１）係合片）
２２    隔板
２３    上区域
２４    下区域
３０    液体装飾物
３１    透明液体
３２    装飾物
４０    二種類の液体を有する液体装飾物
４１、４２  液体
４３    浮遊物
５０    電気コンセント
【図１】
0003113452.tif 000003
【図２】
0003113452.tif 000004
【図３】
0003113452.tif 000005
【図４】
0003113452.tif 000006
【図５】
0003113452.tif 000007
【図６】
0003113452.tif 000008
【図７】
0003113452.tif 000009